(57)【要約】  情報表示制御装置１０は、通信端末３０とのリンク機能を有し、１つ以上の通信端末３０を登録できる表示許可リスト１８３を記憶している。情報表示制御装置１０は、リンクした通信端末３０でイベントが発生すると、当該イベントの発生を示すイベント画像を画像表示装置２１に表示させる。このとき、情報表示制御装置１０は、イベントの発生した通信端末３０が表示制限リスト１８４に登録されているか否かに応じて、イベント画像の表示項目を変更する。
2014112093.tif 000002
【特許請求の範囲】
【請求項１】
通信端末との通信を行う通信部と、
前記通信端末におけるイベントの発生情報を前記通信部を介して取得し、前記通信端末でイベントが発生したとき、当該イベントの発生を示すイベント画像を表示装置に表示させる画像処理部と、
前記イベントの発生した通信端末がどの通信端末かによって、前記イベント画像の表示項目を変更する制御部と、
を備えることを特徴とする情報表示制御装置。
【請求項２】
前記制御部は、前記イベントが特定の通信端末で発生した場合、前記イベント画像の表示項目を制限する
請求項１記載の情報表示制御装置。
【請求項３】
表示項目が制限された前記イベント画像は、ユーザインターフェイスを含まない
請求項１記載の情報表示制御装置。
【請求項４】
前記制御部は、前記イベント画像の表示項目の全てを制限する場合、前記イベント画像とは別の画像を前記表示装置に表示する
請求項２記載の情報表示制御装置。
【請求項５】
前記イベント画像とは別の画像は、前記イベント発生前の前記表示装置のスクリーンショットである
請求項４記載の情報表示制御装置。
【請求項６】
前記制御部は、前記イベント画像の表示項目を制限するとき、ユーザからの操作を制限する
請求項２記載の情報表示制御装置。
【請求項７】
当該情報表示制御装置には、前記表示装置を複数接続可能であり、
前記制御部は、前記イベント画像の表示項目を前記表示装置ごとに変更する
請求項１記載の情報表示制御装置。
【請求項８】
当該情報表示制御装置には、前記複数の表示装置のそれぞれに対応付けされる複数の操作入力装置を接続可能であり、
前記制御部は、前記イベント画像の表示項目を制限する表示装置に対応する操作入力部の操作を制限する
請求項７記載の情報表示制御装置。
【請求項９】
前記通信部は、複数の通信端末と同時に通信可能であり、
前記画像処理部は、前記複数の通信端末が出力する画像を前記通信部を介して取得し、前記表示装置に選択的に表示可能であり、
前記制御部は、前記イベントが前記特定の通信端末で発生し、且つ、当該特定の通信端末の画像を前記表示装置に表示している場合に、前記イベント画像の表示項目を制限する
請求項２記載の情報表示制御装置。
【請求項１０】
１以上の通信端末を登録可能なリストを記憶する記憶部をさらに備え、
前記制御部は、前記イベントの発生した通信端末が前記リストに登録されているか否かに応じて、前記イベント画像の表示項目を変更する
請求項１記載の情報表示制御装置。
【請求項１１】
前記通信部との通信を行う通信端末を載せるクレードルをさらに備え
前記制御部は、前記イベントの発生した通信端末が前記クレードルに載せられたものか否か応じて、前記イベント画像の表示項目を変更する
請求項１記載の情報表示制御装置。
【請求項１２】
当該情報表示制御装置は、車両に搭載可能であり、
前記制御部は、前記イベントが前記車両の運転者以外の同乗者の通信端末で発生した場合、前記イベント画像の表示項目を制限する
請求項２記載の情報表示制御装置。
【請求項１３】
前記運転者の通信端末を登録するためのリストを記憶する記憶部をさらに備える
請求項１２記載の情報表示制御装置。
【請求項１４】
前記同乗者の通信端末を登録するためのリストを記憶する記憶部をさらに備え、
前記制御部は、前記リストに登録されていない通信端末を、前記運転者の通信端末とみなす
請求項１２記載の情報表示制御装置。
【請求項１５】
前記通信部との通信を行う通信端末を載せるクレードルをさらに備え
前記制御部は、前記クレードル上の通信端末を運転者の通信端末とみなす
請求項１２記載の情報表示制御装置。
【請求項１６】
当該情報表示制御装置は、車両に搭載可能であり、
前記通信部は、複数の通信端末と同時に通信可能であり、
前記画像処理部は、前記複数の通信端末が出力する画像を前記通信部を介して取得し、前記複数の通信端末の画像を前記表示装置に選択的に表示可能であり、
前記制御部は、前記イベントが前記車両の運転者以外の同乗者の通信端末で発生し、且つ、当該イベントが発生した通信端末の画像を前記表示装置に表示している場合に、前記イベント画像の表示項目を制限する
請求項２記載の情報表示制御装置。
【請求項１７】
当該情報表示制御装置は、車両に搭載可能であり、運転席用の表示装置と助手席用の表示装置とが接続され、
前記制御部は、前記イベントが前記車両の運転者の通信端末で発生した場合は、前記助手席用の表示装置のイベント画像の表示項目を制限し、前記イベントが前記車両の前記助手席にいる同乗者の通信端末で発生した場合は、前記運転席用の表示装置のイベント画像の表示項目を制限する
請求項２記載の情報表示制御装置。
【請求項１８】
前記運転席用の表示装置および前記助手席用の表示装置は、同一の画面用いてそれぞれの画像を表示するスプリットビューモニタとして構成されている
請求項１７記載の情報表示制御装置。
【請求項１９】
前記運転席用の表示装置に対応付けされた運転席用の操作入力装置と、前記助手席用の表示装置に対応付けされた助手席用の操作入力装置とを接続可能であり、
前記制御部は、前記助手席用の表示装置のイベント画像の表示項目を制限している間は、さらに前記助手席用の操作入力装置の操作を制限し、前記運転席用の表示装置のイベント画像の表示項目を制限している間は、さらに前記運転席用の操作入力装置の操作を制限する
請求項１７記載の情報表示制御装置。
【請求項２０】
当該情報表示制御装置は、車両に搭載可能であり、
前記表示装置は、前記車両のフロントパネル用の表示装置であり、
前記制御部は、前記イベントが前記車両の後部座席にいる同乗者の通信端末で発生した場合、前記イベント画像の表示項目を制限する
請求項２記載の情報表示制御装置。
【請求項２１】
前記フロントパネル用の表示装置に対応付けされた操作入力装置を接続可能であり、
前記制御部は、前記表示装置のイベント画像の表示項目を制限している間は、さらに前記操作入力装置の操作を制限する
請求項２０記載の情報表示制御装置。
【請求項２２】
通信端末との通信を行う通信部と、
前記通信部を介して前記通信端末から取得した画像を表示装置に表示させる画像処理部と、
前記通信端末が特定の通信端末である場合に、ユーザからの操作を制限する制御部と、
を備えることを特徴とする情報表示制御装置。
【請求項２３】
当該情報表示制御装置には、前記表示装置を複数接続可能であり、
前記複数の表示装置のそれぞれに対応付けされる複数の操作入力装置を接続可能であり、
前記制御部は、前記通信端末が特定の通信端末である場合に、前記複数の操作入力装置のうちの特定の操作入力装置の操作を制限する
請求項２２記載の情報表示制御装置。
【請求項２４】
当該情報表示制御装置は、車両に搭載可能であり、運転席用の表示装置と助手席用の表示装置とが接続され、
前記制御部は、前記通信端末が前記車両の運転者の通信端末である場合は、前記助手席用の操作入力装置の操作を制限し、前記通信端末が前記車両の助手席にいる同乗者の通信端末である場合は、前記運転席用の操作入力装置の操作を制限する
請求項２３記載の情報表示制御装置。
【請求項２５】
当該情報表示制御装置は、車両に搭載可能であり、
前記表示装置は、前記車両のフロントパネル用の表示装置であり、
前記制御部は、前記通信端末が前記車両の後部座席にいる同乗者の通信端末である場合に、ユーザからの操作を制限する
請求項２２記載の情報表示制御装置。
【発明の詳細な説明】
【技術分野】
【０００１】
本発明は、情報表示装置の動作を制御する情報表示制御装置に関し、特に、外部の通信端末との連携（リンク）機能を有する情報表示制御装置に関する。
【背景技術】
【０００２】
近年、スマートフォンや携帯電話などの通信端末との通信機能を有する情報表示装置が実用化されている。そのような情報表示装置としては、通信端末で動作しているアプリケーションプログラム（以下、単に「アプリケーション」という）が出力する画像や音声を取得し、自己の表示部やスピーカから出力したり、画像や音声に基づくユーザの操作を受け付けて通信端末を制御したりするなど、通信端末との連携動作を可能とするリンク機能（例えばMirrorLink（登録商標）機能）を有するものがある。【０００３】
一般に、通信端末において、アプリケーションの実行中に電話着信などのイベントが発生すると、当該アプリケーションの実行が中断される。このとき通信端末の画面表示は、アプリケーションが出力する画像（アプリケーション画像）から、イベントの発生を通知する画像に切り替わるのが通常である。そのため、情報表示装置が通信端末とリンクし、通信端末から取得したアプリケーション画像を表示していても、通信端末でイベントが発生すると、通信端末からのアプリケーション画像の送信が中断される。その場合、情報表示装置の表示も、通信端末でのイベントの発生を通知する画像に切り替えられる。【０００４】
例えば、車載の情報表示装置が、通信端末で動作しているナビゲーション用アプリケーションが出力した地図を表示しているときに、通信端末に電話着信があると、情報表示装置の表示が地図から電話の着信画面に切り替わる。そうなると、運転者は通話が終了するまで地図を見ることができず、利便性が低下する。【０００５】
例えば下記の特許文献１では、車載の情報表示装置が通信端末のナビゲーション用アプリケーションの地図を表示する際にその地図を随時記憶しておき、通信端末にイベントが発生したときに、情報表示装置がその直前に記憶した地図を表示し続ける技術が提案されている。この技術によれば、通信端末に電話着信があっても、情報表示装置には地図が表示されたままになるため、運転者は継続して地図を見ることができる。
【先行技術文献】
【特許文献】
【０００６】
【特許文献１】特開２０１１−２５４２９９号公報
【発明の概要】
【発明が解決しようとする課題】
【０００７】
特許文献１のような情報表示システムは、情報表示装置に１台の通信端末がリンクすることが前提となっており、情報表示装置に複数の通信端末をリンクさせる場合については考慮されていない。情報表示装置に複数の通信端末をリンクさせる場合、情報表示装置に望まれる表示の内容は、通信端末ごとに異なると考えられる。【０００８】
例えば、車載の情報表示装置に運転者の通信端末をリンクさせている場合、運転者は運転中に通信端末を操作できないため、通信端末で発生したイベントを通知する画像（イベント画像）を情報表示装置に積極的に表示させることを望む。一方、車載の情報表示装置に運転者でない同乗者の通信端末をリンクさせている場合、同乗者は車両の走行中も通信端末を操作できるため、情報表示装置にイベント画像を表示させることを望まない場合もある。特に、イベント画像に個人情報（例えば電話の着信画面における発信者の名前や電話番号など）が含まれている場合には、プライバシー保護の観点から、情報表示装置にイベント画像を表示することは望ましくない。【０００９】
本発明は以上のような課題を解決するためになされたものであり、複数の通信端末とのリンクが可能な情報表示制御装置において、通信端末の所有者のプライバシー保護および利便性の向上を図ることを目的とする。
【課題を解決するための手段】
【００１０】
本発明に係る情報表示制御装置は、通信端末との通信を行う通信部と、通信端末におけるイベントの発生情報を通信部を介して取得し、通信端末でイベントが発生したとき、当該イベントの発生を示すイベント画像を表示装置に表示させる画像処理部と、イベントの発生した通信端末がどの通信端末かによって、イベント画像の表示項目を変更する制御部と、を備えるものである。
【発明の効果】
【００１１】
本発明によれば、表示装置に表示させるイベント画像の表示項目を、通信端末ごとに変更することができる。例えば、車載の情報表示装置に運転者以外の同乗者の通信端末をリンクさせているときは電話の着信画面などのイベント画像に含まれる個人情報を表示装置に表示させないなど、通信端末の所有者のプライバシー保護に配慮した表示が可能になり、利便性が向上する。【００１２】
この発明の目的、特徴、態様、および利点は、以下の詳細な説明と添付図面とによって、より明白となる。
【図面の簡単な説明】
【００１３】
【図１】実施の形態１に係る情報表示システムの構成図である。
【図２】情報表示制御装置と通信端末との連携動作を説明するための図である。
【図３】情報表示制御装置と通信端末との連携動作を説明するための図である。
【図４】通信端末でイベントが発生したときの、実施の形態１に係る情報表示制御装置の表示制御動作を示すフローチャートである。
【図５】表示許可リストに登録されている通信端末でイベントが発生したときの、実施の形態１に係る情報表示制御装置の動作を説明するための図である。
【図６】表示許可リストに登録されていない通信端末でイベントが発生したときの、実施の形態１に係る情報表示制御装置の動作を説明するための図である。
【図７】実施の形態２に係る情報表示システムの構成図である。
【図８】通信端末でイベントが発生したときの、実施の形態２に係る情報表示制御装置の表示制御動作を示すフローチャートである。
【図９】実施の形態３に係る情報表示システムの構成図である。
【図１０】通信端末でイベントが発生したときの、実施の形態３に係る情報表示制御装置の表示制御動作を示すフローチャートである。
【図１１】表示許可リストに登録されていない通信端末でイベントが発生したときの、実施の形態３に係る情報表示制御装置の動作を説明するための図である。
【図１２】実施の形態４に係る情報表示システムの構成図である。
【図１３】実施の形態４に係る情報表示制御装置と通信端末との連携動作を説明するための図である。
【図１４】通信端末でイベントが発生したときの、実施の形態４に係る情報表示制御装置の表示制御動作を示すフローチャートである。
【図１５】実施の形態４において、第１表示許可リストに登録され、第２表示許可リストに登録されてない通信端末でイベントが発生したときの第１および第２画像表示装置の画面表示を示す図である。
【図１６】実施の形態４において、第２表示許可リストに登録され、第１表示許可リストに登録されてない通信端末でイベントが発生したときの第１および第２画像表示装置の画面表示を示す図である。
【図１７】実施の形態５に係る情報表示システムの構成図である。
【図１８】通信端末でイベントが発生したときの、実施の形態５に係る情報表示制御装置の表示制御動作を示すフローチャートである。
【図１９】実施の形態６に係る情報表示システムの構成図である。
【図２０】実施の形態６に係る情報表示制御装置の操作制御動作を示すフローチャートである。
【図２１】実施の形態７に係る情報表示システムの構成図である。
【図２２】実施の形態７に係る情報表示制御装置の操作制御動作を示すフローチャートである。
【図２３】実施の形態８に係る情報表示システムの構成図である。
【図２４】実施の形態８に係る情報表示制御装置の操作制御動作を示すフローチャートである。
【図２５】通信端末でイベントが発生したときの、実施の形態９に係る情報表示制御装置の表示・操作制御動作を示すフローチャートである。
【図２６】通信端末でイベントが発生したときの、実施の形態１０に係る情報表示制御装置の表示・操作制御動作を示すフローチャートである。
【図２７】実施の形態１１に係る情報表示システムの動作を説明するための図である。
【図２８】通信端末でイベントが発生したときの、実施の形態１１に係る情報表示制御装置の表示制御動作を示すフローチャートである。
【図２９】実施の形態１２に係る情報表示システムの動作を説明するための図である。
【発明を実施するための形態】
【００１４】
＜実施の形態１＞
図１は、本発明の実施の形態１に係る情報表示システムの構成図である。当該情報表示システムは、情報表示制御装置１０と、それに接続される画像表示装置２１、音声出力装置２２および操作入力装置２３と、情報表示制御装置１０と連携（リンク）可能な複数の通信端末３０とを含んでいる。
【００１５】
情報表示制御装置１０は、画像表示装置２１に表示させる画像および音声出力装置２２に出力させる音声を制御する。操作入力装置２３は、ユーザが情報表示制御装置１０に対する操作、もしくは情報表示制御装置１０を介して通信端末３０をリモート操作するためのユーザインターフェイスである。情報表示制御装置１０が組み込まれる具体的な製品としては、例えば、カーナビゲーション装置、デジタルテレビ、テレビゲーム機などが考えられる。
【００１６】
画像表示装置２１、音声出力装置２２および操作入力装置２３は、情報表示制御装置１０に内蔵されていてもよいし、外付けのデバイスであってもよい。画像表示装置２１、音声出力装置２２および操作入力装置２３が外付けのデバイスの場合、それらと情報表示制御装置１０との間の接続（通信）は、それぞれ有線方式でも無線方式でもよい。
【００１７】
画像表示装置２１としては、液晶表示装置が代表的であるが、画像表示機能を有する任意の装置（例えば、テレビジョン表示装置、スマートフォン、タブレット端末、車両のインストルメントパネルの表示部、画面付きのゲームコントローラなど）を利用してもよい。音声出力装置２２は、スピーカやヘッドフォン等が一般的であるが、これも音声出力機能を有する任意の装置を利用してもよい。
【００１８】
操作入力装置２３は、基本的に情報表示制御装置１０の操作に用いられるが、情報表示制御装置１０が通信端末３０とリンクしている状態では、ユーザは、操作入力装置２３を介して通信端末３０をリモート操作することもできる。操作入力装置２３は、操作ボタン、操作スティック、キーボード、トラックパッド等のハードウェアでもよいし、画面に表示されるアイコンを用いたソフトウェアキーでもよい。操作入力装置２３としてのソフトウェアキーを画像表示装置２１に表示させる場合、画像表示装置２１と操作入力装置２３は、両者の機能を兼ね備えた１つのタッチパネルとしてもよい。
【００１９】
情報表示制御装置１０は、制御部１１、通信部１２、画像処理部１３、音声処理部１５、通信端末情報解析部１６、通信端末制御部１７および記憶部１８を備えている。情報表示制御装置１０はコンピュータを用いて構成されており、情報表示制御装置１０の各要素は、コンピュータが、記憶部１８に記憶されている制御プログラム１８１に従って動作することにより実現される。なお、記憶部１８は、ハードディスク、リムーバブルディスク、メモリなどのハードウェアによって構成される。
【００２０】
制御部１１は、制御プログラム１８１に従って情報表示制御装置１０の全体を制御する機能を有する。また、制御部１１は、記憶部１８に記憶されている情報表示制御装置１０用のアプリケーションプログラム１８２を実行することもできる。
【００２１】
通信部１２は、情報表示制御装置１０が通信端末３０とリンクするのに必要な通信を行う機能を有し、通信端末３０との間で、画像データ、音声データ、制御命令など各種の情報をやりとりする。通信部１２と通信端末３０との間の通信方式は、例えばＵＳＢ（Universal Serial Bus）ケーブルやＬＡＮ（Local Area Network）ケーブルなどを用いる有線通信でもよいし、無線ＬＡＮやBluetooth（登録商標）などの無線通信でもよい。
【００２２】
画像処理部１３は、画像表示装置２１に画像を表示させるための画像信号を生成する機能を有している。特に、情報表示制御装置１０が通信端末３０とリンクした状態では、画像処理部１３は、通信端末３０で動作しているアプリケーションが出力する画像（アプリケーション画像）を、通信部１２を介して取得し、画像表示装置２１に表示させることができる。
【００２３】
また、画像処理部１３が通信端末３０で動作しているアプリケーションの画像（アプリケーション画像）を画像表示装置２１に表示させているときに、通信端末３０で所定のイベントが発生すると、画像処理部１３は、通信部１２を介して通信端末３０からイベントの発生を示す画像（イベント画像）を取得し、それを画像表示装置２１に表示させる。
【００２４】
音声処理部１５は、音声出力装置２２に音声を出力させるための音声信号を生成する機能を有している。特に、情報表示制御装置１０が通信端末３０とリンクした状態では、音声処理部１５は、通信端末３０で動作しているアプリケーションが出力する音声を、通信部１２を介して取得し、音声出力装置２２から出力させることができる。さらに、通信端末３０で所定のイベントが発生した場合、音声処理部１５は、そのイベントの発生をユーザに通知する音声を音声出力装置２２から出力させることもできる。
【００２５】
通信端末情報解析部１６は、通信部１２を介して通信端末３０から取得した情報（データ）に基づき、通信端末３０の識別や状態判断を行う。通信端末情報解析部１６が通信端末３０から取得する情報としては、例えば、通信端末３０で実行中のアプリケーションの属性情報（アプリケーションの種別など）や、通信端末３０の属性情報（機種名、機能、電話番号、所有者名など）、各イベント（電話着信、メール着信、電池切れ、通信不可など）の発生情報等が挙げられる。なお、イベントの発生情報は画像処理部１３へも送られ、それにより、画像処理部１３はイベントの発生状況に応じた処理を行うことができる。
【００２６】
通信端末制御部１７は、通信部１２を介して通信端末３０へ各種の制御命令やデータを送信することにより、通信端末３０を制御する機能を有している。情報表示制御装置１０が通信端末３０とリンクした状態では、ユーザは、操作入力装置２３を用いて、画像表示装置２１に表示された通信端末３０の操作画面（通信端末３０で動作しているアプリケーションの操作画面や、通信端末３０で発生したイベントに対する操作画面）の画像に基づく操作を行うことができる。このユーザの操作内容は、通信端末制御部１７が通信端末３０に伝達し、通信端末３０がその操作内容に応じた動作を行う。その結果、操作入力装置２３を用いた通信端末３０のリモート操作が実現される。
【００２７】
通信端末３０は、スマートフォンや携帯電話などであり、通信網４１（通信端末３０が在圏するネットワーク）を介した遠端側通信装置４２との通信機能の他、情報表示制御装置１０とリンクするための通信機能を有している。また、通信端末３０は、通信端末３０用のアプリケーションを実行することによって、電話機能や、電子メール（Ｅメール）の送受信機能、インターネットの閲覧機能（ブラウザ機能）、ＧＰＳ（Global Positioning System）４３を利用して経路案内を行うナビゲーション機能などの様々な機能を発揮することができる。
【００２８】
通信端末３０の構成は、例えば一般的なスマートフォンと同様でよいため詳細な説明は省略するが、図１では、本発明と特に関係する表示部３１、操作部３２および制御部３３を図示している。
【００２９】
表示部３１は、通信端末３０で実行中のアプリケーションの画像を表示したり、イベント発生時には当該イベントの通知画面や操作画面の画像を表示したりする。操作部３２は、通信端末３０のユーザインターフェイスであり、ユーザは、操作部３２を用いてアプリケーションやイベントに対する操作を行うことができる。制御部３３は、通信端末３０用の制御プログラムを実行することで、通信端末３０の基本的な機能（通信機能や通話機能など）の制御を行うと共に、各種のアプリケーションを実行することにより、上記した様々な機能を通信端末３０に発揮させることができる。
【００３０】
実施の形態１の情報表示制御装置１０は、イベントがどの通信端末３０で発生したかによって、画像表示装置２１に表示させるイベント画像の表示項目を変更する。具体的には、ある特定の通信端末３０でイベントが発生した場合に、画像表示装置２１に表示させるイベント画像の表示項目が制限される。
【００３１】
情報表示制御装置１０の記憶部１８には、１つ以上の通信端末３０を登録可能な表示許可リスト１８３が記憶されている。制御部１１は、表示許可リスト１８３に登録されていない通信端末３０でイベントが発生したときは、表示項目を制限したイベント画像が画像表示装置２１に表示されるように画像処理部１３を制御する。また、それ以外の通信端末３０でイベントが発生したときは、表示項目が制限されていないイベント画像が画像表示装置２１に表示されるように画像処理部１３を制御する。
【００３２】
情報表示制御装置１０のユーザは、画像表示装置２１に表示されるイベント画像の表示項目を制限したくない通信端末３０を、表示許可リスト１８３に予め登録しておく。表示許可リスト１８３に登録する情報は、個々の通信端末３０を識別可能な情報（識別子）であれば任意のものでよい。そのような識別子としては、例えば、通信端末のＩＭＥＩ（International Mobile Equipment Identity）番号やＭＡＣアドレス（Media Access Control address）、電話番号などが考えられる。
【００３３】
以下、実施の形態１に係る情報表示システムの動作を説明する。以下の説明では、情報表示制御装置１０、画像表示装置２１、音声出力装置２２および操作入力装置２３はいずれも車載装置であり、通信端末３０はスマートフォンであると仮定する。また、画像表示装置２１と操作入力装置２３は、一つのタッチパネル（後述の「タッチパネル装置２１２」）として構成されているものとする。同様に、通信端末３０の表示部３１および操作部３２も、一つのタッチパネル（後述の「タッチパネル部３１２」）として構成されているものとする。
【００３４】
また、以下の説明では、通信端末３０で動作するアプリケーションとして、経路案内を行うナビゲーション用アプリケーションを例示し、通信端末３０に発生するイベントとして、電話着信を例示する。但し、本発明の適用は、そのアプリケーションとイベントの組み合わせに限定されるものではない。例えば、通信端末３０用アプリケーションは、ブラウザや画像ビューワや動画再生アプリケーションなどでもよく、通信端末３０に発生するイベントとしては、Ｅメール着信などでもよい。
【００３５】
まず、情報表示制御装置１０と通信端末３０との連携（リンク）機能の概要を説明する。情報表示制御装置１０と通信端末３０とが有線または無線により物理接続され、双方の通信によってリンクが確立すると、図２に示すように、情報表示制御装置１０に接続したタッチパネル装置２１２（画像表示装置２１）に、通信端末３０のタッチパネル部３１２（表示部３１）と同じ画像が表示される。
【００３６】
情報表示制御装置１０と通信端末３０とがリンクしている間、通信端末３０が出力する画像や音声などのコンテンツは情報表示制御装置１０へ送信され、情報表示制御装置１０は当該コンテンツをタッチパネル装置２１２および音声出力装置２２を用いて出力することができる。
【００３７】
さらに、ユーザは、情報表示制御装置１０と通信端末３０とがリンクしている間、タッチパネル装置２１２（操作入力装置２３）を操作することによって、通信端末３０のタッチパネル部３１２（操作部３２）を操作するのと同じ感覚で、通信端末３０をリモート操作することができる。なお、リンクが確立している間も通信端末３０のタッチパネル部３１２の操作は可能であり、通信端末３０は、タッチパネル部３１２からもタッチパネル装置２１２からも操作可能な状態になる。
【００３８】
例えば、図２に示した状態から、ユーザがタッチパネル装置２１２に表示された「ナビゲーション」のアイコンにタッチすると、通信端末３０のタッチパネル部３１２を操作したときと同じように、通信端末３０でナビゲーション用アプリケーションが起動する。すると、図３のように、通信端末３０のタッチパネル部３１２に当該アプリケーションの画像（ここでは地図）が表示され、それと共に、タッチパネル装置２１２にも通信端末３０のタッチパネル部３１２と同じ画像が表示される。また、当該アプリケーションが、例えば経路案内のための音声を出力すると、その音声が情報表示制御装置１０に接続された音声出力装置２２から出力される。
【００３９】
このように、情報表示制御装置１０と通信端末３０とがリンクした状態では、情報表示制御装置１０と通信端末３０とが互いに連携した動作を行う。
【００４０】
次に、通信端末３０とのリンク中に、通信端末３０で所定のイベントが発生した場合における情報表示制御装置１０の表示制御動作を説明する。
【００４１】
実施の形態１の情報表示制御装置１０は、表示許可リスト１８３に登録されている通信端末３０のイベント画像は表示項目を制限せずに画像表示装置２１に表示する。しかし、表示許可リスト１８３に登録されていない通信端末３０のイベント画像は表示項目を制限して画像表示装置２１に表示する。つまり、イベントが発生した通信端末３０が表示許可リスト１８３に登録されているか否かによって、画像表示装置２１に表示されるイベント画像の表示項目が変更されることになる。なお、イベント画像としては、イベント発生の通知のみを目的とする画像に限らず、ユーザインターフェイスを含むイベントの操作画面の画像であってもよい。
【００４２】
図４は、リンク中の通信端末３０でイベントが発生したときにおける、実施の形態１に係る情報表示制御装置１０の表示制御動作を示すフローチャートである。
【００４３】
例えば、情報表示制御装置１０と通信端末３０とのリンクが確立した図３の状態から、通信端末３０で所定のイベントが発生すると、情報表示制御装置１０は、その通信端末３０が表示許可リスト１８３に登録されているか否かを確認する（ステップＳ１１）。
【００４４】
通信端末３０が表示許可リスト１８３に登録されていた場合（ステップＳ１１でＹＥＳ）、情報表示制御装置１０は、図５のように、表示項目が制限されていない詳細なイベント画像（以下「詳細イベント画像」）を画像表示装置２１（タッチパネル装置２１２）に表示する（ステップＳ１２）。ここでは、通信端末３０のイベントとして電話の着信が発生し、詳細イベント画像として、通信端末３０の表示部３１に表示された電話の着信画面と同じ画像が、画像表示装置２１に表示された例を示している。すなわち、この詳細イベント画像には、電話着信を示す文字、発信者の名前、発信者の電話番号、ユーザインターフェイスとしての「通話開始」および「保留」の操作ボタン（アイコン）といった表示項目が含まれている。
【００４５】
一方、通信端末３０が表示許可リスト１８３に登録されていなかった場合（ステップＳ１１でＮＯ）、情報表示制御装置１０は、図６のように、表示項目が制限された簡易なイベント画像（以下「簡易イベント画像」）を画像表示装置２１に表示する（ステップＳ１３）。簡易イベント画像としては、表示項目の全てを非表示としたものでなくてもよく、主にプライバシーに関する表示（例えば、電話の発信者の名前、電話番号、電話応答の操作ボタンなど）が制限されていればよい。ここでは、簡易イベント画像として、電話着信を示す文字のみを表示項目とする着信画面の画像が、画像表示装置２１に表示された例を示している。
【００４６】
このように、実施の形態１の情報表示制御装置１０は、特定の通信端末３０（表示許可リスト１８３に登録されていない通信端末３０）でイベントが発生した場合に、表示項目を制限したイベント画像（簡易イベント画像）を表示する。
【００４７】
例えば、画像表示装置２１が車両のフロントパネル（ダッシュボード）に配置されている場合、その画面は運転者だけでなく同乗者の全員から見える。通信端末３０に電話着信があった場合に、フロントパネルの画像表示装置２１に図６のような簡易イベント画像を表示することによって、発信者の名前や電話番号を他人（通信端末３０の所有者以外の者）に見られることを防止でき、通信端末３０の所有者のプライバシーが保護される。また、「通話開始」や「保留」といった操作ボタン（ユーザインターフェイス）も表示しないことにより、通信端末３０が他人にリモート操作されることも防止でき、プライバシー保護の効果をさらに高めることができる。
【００４８】
なお、画像表示装置２１に簡易イベント画像が表示されている状態でも、通信端末３０の所有者は、通信端末３０の表示部３１で詳細なイベント画像を見ることができ、また、操作部３２を使って通信端末３０を操作できるので、通信端末３０の使用上の問題はない。
【００４９】
実施の形態１の情報表示制御装置１０を車両に搭載させる場合、特に、運転者の通信端末３０を表示許可リスト１８３に登録することが有効である。その場合、運転者の通信端末３０を情報表示制御装置１０にリンクさせたときは、画像表示装置２１に詳細イベント画像が表示されるようになり、運転中に通信端末３０を操作できない運転者にとって高い利便性が得られる。また、同乗者の通信端末３０を情報表示制御装置１０にリンクさせたときは、画像表示装置２１に簡易イベント画像が表示されるようになり、同乗者のプライバシーが保護される。
【００５０】
なお、上の説明では、通信端末３０が表示許可リスト１８３に登録されているか否かの確認をイベント発生時に行う例を示したが、イベントの発生前（例えばリンクの確立時）にその確認を済ませていてもよい。
【００５１】
＜実施の形態２＞
図７は、本発明の実施の形態２に係る情報表示システムの構成図である。実施の形態１では、イベント画像の表示項目を制限しない通信端末３０を登録する表示許可リスト１８３を用いたが、実施の形態２では、イベント画像の表示項目を制限する通信端末３０を登録する表示制限リスト１８４が、情報表示制御装置１０の記憶部１８に記憶されている。
【００５２】
実施の形態２の情報表示制御装置１０は、表示制限リスト１８４に登録されている通信端末３０のイベント画像は表示項目を制限して画像表示装置２１に表示し、それ以外の通信端末３０のイベント画像は表示項目を制限せずに画像表示装置２１に表示する。情報表示制御装置１０のユーザは、画像表示装置２１に表示されるイベント画像の表示項目を制限したい通信端末３０を、表示制限リスト１８４に予め登録しておく。
【００５３】
図８は、リンク中の通信端末３０でイベントが発生したときにおける、実施の形態２に係る情報表示制御装置１０の表示制御動作を示すフローチャートである。
【００５４】
例えば図３の状態から、通信端末３０で所定のイベントが発生すると、情報表示制御装置１０は、その通信端末３０が表示制限リスト１８４に登録されているか否かを確認する（ステップＳ２１）。
【００５５】
通信端末３０が表示制限リスト１８４に登録されていた場合（ステップＳ２１でＹＥＳ）、情報表示制御装置１０は、図６のように、簡易イベント画像を画像表示装置２１（タッチパネル装置２１２）に表示する（ステップＳ２２）。一方、通信端末３０が表示制限リスト１８４に登録されていなかった場合（ステップＳ２１でＮＯ）、情報表示制御装置１０は、図５のように、詳細イベント画像を画像表示装置２１に表示する（ステップＳ２３）。
【００５６】
このように、実施の形態２の情報表示制御装置１０は、特定の通信端末３０（表示制限リスト１８４に登録されている通信端末３０）でイベントが発生した場合に、表示項目を制限したイベント画像（簡易イベント画像）を表示する。実施の形態１とは予め登録しておく通信端末３０が異なるが、特定の通信端末３０の所有者のプライバシーを保護する効果は同様に得られる。
【００５７】
実施の形態２の情報表示制御装置１０を車両に搭載させる場合、特に、運転者以外の同乗者の通信端末３０を表示制限リスト１８４に登録することが有効である。その場合、運転者の通信端末３０を情報表示制御装置１０にリンクさせたときは、画像表示装置２１に詳細イベント画像が表示されるようになり、運転中に通信端末３０を操作できない運転者にとって高い利便性が得られる。また、同乗者の通信端末３０を情報表示制御装置１０にリンクさせたときは、画像表示装置２１に簡易イベント画像が表示されるようになり、同乗者のプライバシーが保護される。
【００５８】
なお、上の説明では、通信端末３０が表示制限リスト１８４に登録されているか否かの確認をイベント発生時に行う例を示したが、イベントの発生前（例えばリンクの確立時）にその確認を済ませていてもよい。
【００５９】
＜実施の形態３＞
図９は、実施の形態３に係る情報表示システムの構成図である。図９に示す情報表示システムは、図１の構成に対して、情報表示制御装置１０に画像記憶部１４を設けた構成となっている。画像記憶部１４は、情報表示制御装置１０が通信端末３０とリンクしている間、通信端末３０から取得したアプリケーション画像を随時記憶する機能を有している。
【００６０】
実施の形態３では、表示許可リスト１８３に登録されていない通信端末３０でイベントが発生した場合に、イベント画像の表示項目の全てを制限し、イベント画像を表示する代わりに、イベント発生前の画像表示装置２１のスクリーンショットを表示する。イベントの発生前は、画像表示装置２１に通信端末３０のアプリケーション画像が表示された状態なので、イベント発生前のスクリーンショットは、画像記憶部１４に記憶されているアプリケーション画像（以下「記憶アプリケーション画像」）に対応する。
【００６１】
図１０は、リンク中の通信端末３０でイベントが発生したときにおける、実施の形態３に係る情報表示制御装置１０の表示制御動作を示すフローチャートである。
【００６２】
例えば図３の状態から、通信端末３０で所定のイベントが発生すると、情報表示制御装置１０は、その通信端末３０が表示許可リスト１８３に登録されているか否かを確認する（ステップＳ３１）。
【００６３】
通信端末３０が表示許可リスト１８３に登録されていた場合（ステップＳ３１でＹＥＳ）、情報表示制御装置１０は、図５のように、詳細イベント画像を画像表示装置２１（タッチパネル装置２１２）に表示する（ステップＳ３２）。
【００６４】
一方、通信端末３０が表示許可リスト１８３に登録されていなかった場合（ステップＳ３１でＮＯ）、情報表示制御装置１０は、図１１のように、イベント発生前のスクリーンショットである記憶アプリケーション画像（地図）を画像表示装置２１に表示する（ステップＳ３３）。
【００６５】
実施の形態３においても、実施の形態１と同様の効果が得られる。また、通信端末３０でイベントが発生すると、通信端末３０からのアプリケーション画像の送信が停止するので、通常は、画像表示装置２１からアプリケーション画像が消えることになるが、本実施の形態のように、簡易イベント画像の代わりにイベント発生前のスクリーンショットを表示することで、ユーザがアプリケーション画像を継続して見ることができるという効果も得られる。
【００６６】
なお、ここでは実施の形態１と同様に「表示許可リスト」を用いる形態を示したが、実施の形態２のように「表示制限リスト」を用いてもよい。
【００６７】
＜実施の形態４＞
図１２は、実施の形態４に係る情報表示システムの構成図である。図１２の情報表示システムの構成は、図１の構成に対して、画像表示装置および操作入力装置をそれぞれ複数（ここでは２つ）にしたものである。すなわち、情報表示制御装置１０には、第１および第２画像表示装置２１ａ，２１ｂと、第１および第２操作入力装置２３ａ，２３ｂとが接続されている。
【００６８】
第１操作入力装置２３ａは、第１画像表示装置２１ａに対応付けされており、第２操作入力装置２３ｂは、第２画像表示装置２１ｂに対応付けされている。つまり、第１操作入力装置２３ａは、第１画像表示装置２１ａの表示に基づく操作に用いられ、第２操作入力装置２３ｂは、第２画像表示装置２１ｂの表示に基づく操作に用いられる。
【００６９】
さらに、記憶部１８には、第１および第２画像表示装置２１ａ，２１ｂのそれぞれに対応付けされた２つの表示許可リスト、すなわち、第１画像表示装置２１ａ用の第１表示許可リスト１８３ａおよび第２画像表示装置２１ｂ用の第２表示許可リスト１８３ｂが記憶されている。
【００７０】
実施の形態４の情報表示制御装置１０は、通信端末３０にイベントが発生したとき、第１画像表示装置２１ａに対しては、通信端末３０が第１表示許可リスト１８３ａに登録されていれば詳細イベント画像を表示し、そうでなければ簡易イベント画像を表示する。また、第２画像表示装置２１ｂに対しては、通信端末３０が第２表示許可リスト１８３ｂに登録されていれば詳細イベント画像を表示し、そうでなければ簡易イベント画像を表示する。
【００７１】
情報表示制御装置１０のユーザは、第１画像表示装置２１ａにおいてイベント画像の表示項目を制限したくない通信端末３０を、第１表示許可リスト１８３ａに登録し、第２画像表示装置２１ｂにおいてイベント画像の表示項目を制限したくない通信端末３０を、第２表示許可リスト１８３ｂに登録しておく。
【００７２】
以下、実施の形態４に係る情報表示システムの動作を説明する。本実施の形態では、第１画像表示装置２１ａと第１操作入力装置２３ａは、一つのタッチパネル（後述の「第１タッチパネル装置２１２ａ」）として構成され、第２画像表示装置２１ｂと第２操作入力装置２３ｂも、一つのタッチパネル（後述の「第２タッチパネル装置２１２ｂ」）として構成されているものとする。同様に、通信端末３０の表示部３１および操作部３２も、一つのタッチパネル（タッチパネル部３１２）として構成されているものとする。
【００７３】
情報表示制御装置１０と通信端末３０のリンクが確立した状態では、通信端末３０でアプリケーションが起動すると、図１３のように、第１画像表示装置２１ａ（第１タッチパネル装置２１２ａ）と第２画像表示装置２１ｂ（第２タッチパネル装置２１２ｂ）の両方に、通信端末３０のアプリケーション画像が表示される。
【００７４】
図１４は、リンク中の通信端末３０でイベントが発生したときにおける、実施の形態４に係る情報表示制御装置１０の表示制御動作を示すフローチャートである。
【００７５】
例えば図１３の状態から、通信端末３０で所定のイベントが発生すると、情報表示制御装置１０は、その通信端末３０が第１表示許可リスト１８３ａに登録されているか否かを確認する（ステップＳ４１）。
【００７６】
情報表示制御装置１０は、通信端末３０が第１表示許可リスト１８３ａに登録されていた場合は（ステップＳ４１でＹＥＳ）、図１５のように、第１画像表示装置２１ａに詳細イベント画像を表示する（ステップＳ４２）。また、通信端末３０が第１表示許可リスト１８３ａに登録されていなかった場合は（ステップＳ４１でＮＯ）、図１６のように、第１画像表示装置２１ａに簡易イベント画像を表示する（ステップＳ４３）。
【００７７】
さらに、情報表示制御装置１０は、通信端末３０が第２表示許可リスト１８３ｂに登録されているか否かを確認する（ステップＳ４４）。
【００７８】
情報表示制御装置１０は、通信端末３０が第２表示許可リスト１８３ｂに登録されていた場合は（ステップＳ４４でＹＥＳ）、図１６のように、第２画像表示装置２１ｂに詳細イベント画像を表示する（ステップＳ４５）。また、通信端末３０が第２表示許可リスト１８３ｂに登録されていなかった場合は（ステップＳ４４でＮＯ）、図１５のように、第２画像表示装置２１ｂに簡易イベント画像を表示する（ステップＳ４６）。
【００７９】
例えば、実施の形態４の情報表示制御装置１０を車両に搭載させ、第１画像表示装置２１ａを運転席側に、第２画像表示装置２１ｂを助手席側に配置する場合、運転者の通信端末３０を第１表示許可リスト１８３ａに登録し、助手席にいる同乗者の通信端末３０を第２表示許可リスト１８３ｂに登録することが有効である。
【００８０】
その場合、運転者の通信端末３０を情報表示制御装置１０にリンクさせたときは、図１５のように、運転席側の第１画像表示装置２１ａに詳細イベント画像が表示され、助手席側の第２画像表示装置２１ｂに簡易イベント画像が表示される。それにより、運転者にとって高い利便性が得られると共に、運転者のプライバシーが保護される。
【００８１】
また、助手席にいる同乗者の通信端末３０を情報表示制御装置１０にリンクさせたときは、図１６のように、運転席側の第１画像表示装置２１ａに簡易イベント画像が表示され、助手席側の第２画像表示装置２１ｂに詳細イベント画像が表示される。それにより、助手席にいる同乗者にとって高い利便性が得られると共に、当該同乗者のプライバシーが保護される。
【００８２】
さらには、第１および第２表示許可リスト１８３ａ，１８３ｂのどちらにも登録されていない、後部座席にいる同乗者の通信端末３０を情報表示制御装置１０にリンクさせたときは、運転席側の第１画像表示装置２１ａと助手席側の第２画像表示装置２１ｂの両方に、簡易イベント画像に表示される。それにより、後部座席にいる同乗者のプライバシーが保護される。
【００８３】
実施の形態４では、第１および第２画像表示装置２１ａ，２１ｂのそれぞれで実施の形態１と同様の効果が得られる。また、本実施の形態では、「表示許可リスト」を用いる例を示したが、実施の形態２を応用して、第１および第２画像表示装置２１ａ，２１ｂそれぞれの「表示制限リスト」を用いてもよい。さらに、イベント画像の表示項目を制限する場合、簡易イベント画像ではなく、実施の形態３のようにイベント発生前のスクリーンショット（記憶アプリケーション画像）を表示させてもよい。
【００８４】
また、情報表示制御装置１０には、画像表示装置および操作入力装置は３つ以上接続してもよい。その場合に、記憶部１８には、各画像表示装置用の「表示許可リスト」または「表示制限リスト」を記憶させる。
【００８５】
上の説明では、第１および第２画像表示装置２１ａ，２１ｂを、それぞれ個別の表示装置として説明したが、第１および第２画像表示装置２１ａ，２１ｂは、一つの画面を用いて２つの画像をそれぞれ異なる方向（例えば運転席側と助手席側）に表示するスプリットビューモニタで実現されていてもよい。
【００８６】
＜実施の形態５＞
図１７は、実施の形態５に係る情報表示システムの構成図である。図１７に示す情報表示システムは、図１の構成に対して、通信端末３０を載せるためのクレードル３５を設けたものである。また本実施の形態では、記憶部１８に表示許可リスト１８３を記憶させる必要はない。
【００８７】
クレードル３５は、その上に置かれた通信端末３０との通信機能と、情報表示制御装置１０（通信部１２）との通信機能を有している。クレードル３５に載せられた通信端末３０は、クレードル３５を介して情報表示制御装置１０との通信を行うことになる。通信端末３０とクレードル３５との間の通信方式、およびクレードル３５と情報表示制御装置１０との間の通信方式は、それぞれ有線通信でも無線通信でもよい。
【００８８】
なお、通信端末３０は、他の実施の形態と同様にクレードル３５を介さずに情報表示制御装置１０と通信することも可能である。
【００８９】
実施の形態５の情報表示制御装置１０は、クレードル３５を介して通信している通信端末３０でイベントが発生した場合は、詳細イベント画像を画像表示装置２１に表示し、それ以外の通信端末３０でイベントが発生した場合は、簡易イベント画像を画像表示装置２１に表示する。
【００９０】
図１８は、リンク中の通信端末３０でイベントが発生したときにおける、実施の形態５に係る情報表示制御装置１０の表示制御動作を示すフローチャートである。
【００９１】
例えば図３の状態から、リンク中の通信端末３０で所定のイベントが発生すると、情報表示制御装置１０は、その通信端末３０が、クレードル３５を介して通信しているか否かを確認する（ステップＳ５１）。
【００９２】
通信端末３０がクレードル３５を介して通信していた場合（ステップＳ５１でＹＥＳ）、情報表示制御装置１０は、図５のように、詳細イベント画像を画像表示装置２１（タッチパネル装置２１２）に表示する（ステップＳ５２）。
【００９３】
一方、通信端末３０がクレードル３５を介して通信していない場合（ステップＳ５１でＮＯ）、情報表示制御装置１０は、図６のように、簡易イベント画像を画像表示装置２１に表示する（ステップＳ５３）。
【００９４】
実施の形態５においても、実施の形態１と同様の効果が得られる。また、表示許可リスト１８３を用意することなく、イベント画像の表示項目を制限する特定の通信端末３０（クレードル３５を介さずに通信している通信端末３０）を認識できるので、利便性が向上する。
【００９５】
例えば、情報表示制御装置１０を車両に搭載する場合、クレードル３５には運転者の通信端末３０だけを載せるように決めておくことが有効である。その場合、情報表示制御装置１０は、クレードル３５に載せられる通信端末３０（クレードル３５を介して通信している通信端末３０）を運転者の通信端末３０であるとみなし、それ以外の通信端末３０（同乗者の通信端末３０）とリンクしている状態では、イベント画像の表示項目が制限される。それにより、同乗者のプライバシーを保護することができる。
【００９６】
本実施の形態では、クレードル３５を介して通信している通信端末３０にイベントが発生した場合に詳細イベント画像を表示し、それ以外の場合に簡易イベント画像を表示する例を示したが、それとは逆に、クレードル３５を介して通信している通信端末３０にイベントが発生した場合に簡易イベント画像を表示し、それ以外の場合に詳細イベント画像を表示するようにしてもよい。その場合、イベント画像の表示項目を制限したいとき（例えば運転者以外の同乗者の通信端末３０を情報表示制御装置１０リンクさせるとき）にクレードル３５を使うようにすれば、表示制限リストを用いることなく、実施の形態２と同様の効果を得ることができる。
【００９７】
また、複数の画像表示装置が情報表示制御装置１０に接続される場合、それらの画像表示装置に対応付けされた複数のクレードルを用いれば、表示許可リストまたは表示制限リストを用いることなく、実施の形態４と同様の情報表示システムを構築することもできる。
【００９８】
＜実施の形態６＞
実施の形態６では、情報表示制御装置１０にリンクした通信端末３０が、他人に操作入力装置２３からリモート操作されることを防止し、それによって通信端末３０の所有者のプライバシーを保護する技術を提案する。
【００９９】
図１９は、実施の形態６に係る情報表示システムの構成図である。本実施の形態では、操作入力装置２３からのリモート操作を許可する通信端末３０を登録する操作許可リスト１８５が、記憶部１８に記憶されている。情報表示制御装置１０のユーザは、操作入力装置２３からのリモート操作を許可したい通信端末３０を、操作許可リスト１８５に予め登録しておく。
【０１００】
図２０は、実施の形態６に係る情報表示制御装置１０の操作制御動作を示すフローチャートである。
【０１０１】
情報表示制御装置１０は、通信端末３０とのリンクが確立すると、その通信端末３０が操作許可リスト１８５に登録されているか否かを確認する（ステップＳ６１）。
【０１０２】
通信端末３０が操作許可リスト１８５に登録されていた場合（ステップＳ６１でＹＥＳ）、情報表示制御装置１０は、操作入力装置２３からの通信端末３０のリモート操作を許可する（ステップＳ６２）。
【０１０３】
また、通信端末３０が操作許可リスト１８５に登録されていなかった場合は（ステップＳ６１でＮＯ）、情報表示制御装置１０は、操作入力装置２３からの通信端末３０のリモート操作を制限する（ステップＳ６３）。このとき、必ずしもリモート操作の全てを禁止する必要はなく、プライバシーに関する操作（例えば、電話の着信履歴、アドレス帳、スケジュール等を閲覧する操作など）のみを制限してもよい。
【０１０４】
このように、実施の形態６の情報表示制御装置１０は、特定の通信端末３０（操作許可リスト１８５に登録されていない通信端末３０）に対するリモート操作を制限し、当該通信端末３０の所有者のプライバシーを保護することができる。
【０１０５】
例えば、実施の形態６の情報表示制御装置１０を車両に搭載させ、画像表示装置２１および操作入力装置２３を車両のフロントパネルに配置した場合、後部座席にいる同乗者は操作入力装置２３に手が届かない。この場合、操作許可リスト１８５に、運転者と助手席にいる同乗者の通信端末３０のみを登録するとよい。それにより、後部座席にいる同乗者の通信端末３０を情報表示制御装置１０にリンクさせたときに、フロントパネルの操作入力装置２３から他人（運転者または助手席の同乗者）が通信端末３０をリモート操作することを防止でき、後部座席にいる同乗者のプライバシーが保護される。
【０１０６】
実施の形態６に実施の形態５（図１７）を応用し、通信端末３０のリモート操作を制限するか否かの判断に、クレードル３５を用いてもよい。上の例であれば、フロントパネルに、運転者または助手席にいる同乗者の通信端末３０用のクレードル３５を設けるとよい。
【０１０７】
＜実施の形態７＞
図２１は、実施の形態７に係る情報表示システムの構成図である。本実施の形態では、操作入力装置２３からのリモート操作を制限する通信端末３０を登録する操作制限リスト１８６が、情報表示制御装置１０の記憶部１８に記憶されている。情報表示制御装置１０のユーザは、操作入力装置２３からのリモート操作を制限したい通信端末３０を、操作制限リスト１８６に予め登録しておく。
【０１０８】
図２２は、実施の形態７に係る情報表示制御装置１０の操作制御動作を示すフローチャートである。
【０１０９】
情報表示制御装置１０は、通信端末３０とのリンクが確立すると、その通信端末３０が操作制限リスト１８６に登録されているか否かを確認する（ステップＳ７１）。
【０１１０】
通信端末３０が操作制限リスト１８６に登録されていた場合（ステップＳ７１でＹＥＳ）、情報表示制御装置１０は、操作入力装置２３からの通信端末３０のリモート操作を制限する（ステップＳ７２）。また、通信端末３０が操作制限リスト１８６に登録されていなかった場合は（ステップＳ７１でＮＯ）、情報表示制御装置１０は、操作入力装置２３からの通信端末３０のリモート操作を許可する（ステップＳ７３）。
【０１１１】
このように、実施の形態７の情報表示制御装置１０は、特定の通信端末３０（操作制限リスト１８６に登録されている通信端末３０）に対するリモート操作を制限し、当該通信端末３０の所有者のプライバシーを保護することができる。
【０１１２】
例えば、実施の形態７の情報表示制御装置１０を車両に搭載させ、画像表示装置２１および操作入力装置２３を車両のフロントパネルに配置した場合、操作制限リスト１８６には、後部座席にいる同乗者の通信端末３０を登録するとよい。それにより、後部座席にいる同乗者の通信端末３０を情報表示制御装置１０にリンクさせたときに、フロントパネルの操作入力装置２３から他人（運転者または助手席の同乗者）が通信端末３０をリモート操作することを防止でき、後部座席にいる同乗者のプライバシーが保護される。
【０１１３】
本実施の形態に実施の形態５（図１７）を組み合わせて、通信端末３０のリモート操作を制限するか否かの判断に、クレードル３５を用いてもよい。上の例であれば、後部座席に、後部座席にいる同乗者の通信端末３０用のクレードル３５を設けるとよい。
【０１１４】
＜実施の形態８＞
図２３は、実施の形態８に係る情報表示システムの構成図である。図２３の情報表示システムの構成は、図１９の構成に対して、画像表示装置および操作入力装置をそれぞれ複数（ここでは２つ）にしたものである。すなわち、情報表示制御装置１０には、第１および第２画像表示装置２１ａ，２１ｂと、第１および第２操作入力装置２３ａ，２３ｂとが接続されている。
【０１１５】
第１操作入力装置２３ａは、第１画像表示装置２１ａに対応付けされており、第２操作入力装置２３ｂは、第２画像表示装置２１ｂに対応付けされている。つまり、第１操作入力装置２３ａは、第１画像表示装置２１ａの表示に基づく操作に用いられ、第２操作入力装置２３ｂは、第２画像表示装置２１ｂの表示に基づく操作に用いられる。
【０１１６】
さらに、記憶部１８には、第１および第２操作入力装置２３ａ，２３ｂのそれぞれに対応付けされた２つの操作許可リスト、すなわち、第１操作入力装置２３ａ用の第１操作許可リスト１８５ａと第２操作入力装置２３ｂ用の第２操作許可リスト１８５ｂが記憶されている。
【０１１７】
図２４は、実施の形態８に係る情報表示制御装置１０の操作制御動作を示すフローチャートである。
【０１１８】
情報表示制御装置１０は、通信端末３０とのリンクが確立すると、その通信端末３０が第１操作許可リスト１８５ａに登録されているか否かを確認する（ステップＳ８１）。
【０１１９】
通信端末３０が第１操作許可リスト１８５ａに登録されていた場合（ステップＳ８１でＹＥＳ）、情報表示制御装置１０は、第１操作入力装置２３ａからの通信端末３０のリモート操作を許可する（ステップＳ８２）。また、通信端末３０が第１操作許可リスト１８５ａに登録されていなかった場合は（ステップＳ８１でＮＯ）、情報表示制御装置１０は、第１操作許可リスト１８５ａからの通信端末３０のリモート操作を制限する（ステップＳ８３）。
【０１２０】
さらに、情報表示制御装置１０は、当該通信端末３０が第２操作許可リスト１８５ｂに登録されているか否かを確認する（ステップＳ８４）。
【０１２１】
通信端末３０が第２操作許可リスト１８５ｂに登録されていた場合（ステップＳ８４でＹＥＳ）、情報表示制御装置１０は、第２操作入力装置２３ｂからの通信端末３０のリモート操作を許可する（ステップＳ８５）。また、通信端末３０が第２操作許可リスト１８５ｂに登録されていなかった場合は（ステップＳ８４でＮＯ）、情報表示制御装置１０は、第２操作入力装置２３ｂからの通信端末３０のリモート操作を制限する（ステップＳ８６）。
【０１２２】
例えば、実施の形態８の情報表示制御装置１０を車両に搭載させ、第１画像表示装置２１ａおよび第１操作入力装置２３ａを運転席側に、第２画像表示装置２１ｂおよび第２操作入力装置２３ｂを助手席側に配置する場合、運転者の通信端末３０を第１操作許可リスト１８５ａに登録し、助手席にいる同乗者の通信端末３０を第２操作許可リスト１８５ｂに登録することが考えられる。
【０１２３】
その場合、運転者の通信端末３０を情報表示制御装置１０にリンクさせたときは、運転席側の第１操作入力装置２３ａからは自由に通信端末３０をリモート操作できるが、助手席側の第２操作入力装置２３ｂからは通信端末３０のリモート操作が制限される。それにより、運転者にとって高い利便性が得られると共に、運転者のプライバシーが保護される。
【０１２４】
また、助手席にいる同乗者の通信端末３０を情報表示制御装置１０にリンクさせたときは、運転席側の第１操作入力装置２３ａからは通信端末３０のリモート操作が制限され、助手席側の第２操作入力装置２３ｂからは自由に通信端末３０をリモート操作できる。それにより、助手席にいる同乗者にとって高い利便性が得られると共に、当該同乗者のプライバシーが保護される。
【０１２５】
さらには、第１および第２操作許可リスト１８５ａ，１８５ｂのどちらにも登録されていない、後部座席にいる同乗者の通信端末３０を情報表示制御装置１０にリンクさせたときは、運転席側の第１画像表示装置２１ａからも、助手席側の第２画像表示装置２１ｂからも、通信端末３０のリモート操作が制限される。それにより、後部座席にいる同乗者のプライバシーが保護される。
【０１２６】
実施の形態８では、第１および第２操作入力装置２３ａ，２３ｂのそれぞれで実施の形態６と同様の効果が得られる。また、本実施の形態では、「操作許可リスト」を用いる例を示したが、実施の形態７を応用して、第１および第２画像表示装置２１ａ，２１ｂそれぞれの「操作制限リスト」を用いてもよい。
【０１２７】
また、本実施の形態に実施の形態４を適用し、第１および第２操作入力装置２３ａ，２３ｂのそれぞれに対応付けされた複数のクレードルを用いて、リモート操作を制限するか否かを判断すれば、表示許可リストおよび表示制限リストを用いることなく、上記の効果を得ることができる。
【０１２８】
本実施の形態でも、第１および第２画像表示装置２１ａ，２１ｂは、一つの画面用いて２つの画像をそれぞれ異なる方向（例えば運転席側と助手席側）に表示するスプリットビューモニタで実現されていてもよい。
【０１２９】
＜実施の形態９＞
実施の形態９では、イベント画像の表示項目が制限されている通信端末３０に対して、リモート操作が制限されるようにする。実施の形態９に係る情報表示システムの構成は、図１と同様でよい。
【０１３０】
図２５は、リンク中の通信端末３０でイベントが発生したときにおける、実施の形態９に係る情報表示制御装置の表示・操作制御動作を示すフローチャートである。
【０１３１】
例えば図３の状態から、通信端末３０で所定のイベントが発生すると、情報表示制御装置１０は、その通信端末３０が表示許可リスト１８３に登録されているか否かを確認する（ステップＳ９１）。
【０１３２】
通信端末３０が表示許可リスト１８３に登録されていた場合（ステップＳ９１でＹＥＳ）、情報表示制御装置１０は、図５のように詳細イベント画像を画像表示装置２１（タッチパネル装置２１２）に表示すると共に（ステップＳ９２）、操作入力装置２３からの通信端末３０のリモート操作を許可する（ステップＳ９３）。
【０１３３】
一方、通信端末３０が表示許可リスト１８３に登録されていなかった場合（ステップＳ９１でＮＯ）、情報表示制御装置１０は、図６のように簡易イベント画像を画像表示装置２１に表示すると共に（ステップＳ９４）、操作入力装置２３からの通信端末３０のリモート操作を制限する（ステップＳ９５）。
【０１３４】
以上の動作から分かるように、表示許可リスト１８３は、イベント発生時に通信端末３０のリモート操作を許可するか否かを規定する「操作許可リスト」の役割も兼ねている。
【０１３５】
実施の形態９の情報表示制御装置１０によれば、イベント画像の表示項目が制限された通信端末３０に対し、操作入力装置２３からのリモート操作も制限されるので、プライバシー保護の効果をより高いものとすることができる。
【０１３６】
＜実施の形態１０＞
実施の形態９では、通信端末３０のリモート操作を制限する技術を、実施の形態１の情報表示制御装置１０に適用した例を示したが、実施の形態２〜５の情報表示制御装置１０に対しても適用可能である。実施の形態１０では、実施の形態４に適用した例を示す。実施の形態１０に係る情報表示システムの構成は、図１２と同様でよい。
【０１３７】
図２６は、リンク中の通信端末３０でイベントが発生したときにおける、実施の形態１０に係る情報表示制御装置の表示・操作制御動作を示すフローチャートである。
【０１３８】
例えば図１３の状態から、通信端末３０で所定のイベントが発生すると、情報表示制御装置１０は、その通信端末３０が第１表示許可リスト１８３ａに登録されているか否かを確認する（ステップＳ１０１）。
【０１３９】
情報表示制御装置１０は、通信端末３０が第１表示許可リスト１８３ａに登録されていた場合は（ステップＳ１０１でＹＥＳ）、図１５のように第１画像表示装置２１ａに詳細イベント画像を表示すると共に（ステップＳ１０２）、第１操作入力装置２３ａからの通信端末３０のリモート操作を許可する（ステップＳ１０３）。また、通信端末３０が第１操作入力装置２３ａに登録されていなかった場合は（ステップＳ１０１でＮＯ）、図１６のように第１画像表示装置２１ａに簡易イベント画像を表示すると共に（ステップＳ１０４）、第１操作入力装置２３ａからの通信端末３０のリモート操作を制限する（ステップＳ１０５）。
【０１４０】
さらに、情報表示制御装置１０は、通信端末３０が第２表示許可リスト１８３ｂに登録されているか否かを確認する（ステップＳ１０６）。
【０１４１】
情報表示制御装置１０は、通信端末３０が第２表示許可リスト１８３ｂに登録されていた場合は（ステップＳ１０６でＹＥＳ）、図１６のように第２画像表示装置２１ｂに詳細イベント画像を表示すると共に（ステップＳ１０７）、第２操作入力装置２３ｂからの通信端末３０のリモート操作を許可する（ステップＳ１０８）。また、通信端末３０が第２表示許可リスト１８３ｂに登録されていなかった場合は（ステップＳ１０６でＮＯ）、図１５のように第２画像表示装置２１ｂに簡易イベント画像を表示すると共に（ステップＳ１０９）、第２操作入力装置２３ｂからの通信端末３０のリモート操作を制限する（ステップＳ１１０）。
【０１４２】
この動作から分かるように、第１および第２表示許可リスト１８３ａ，１８３ｂは、イベント発生時に、第１および第２操作入力装置２３ａ，２３ｂからの通信端末３０のリモート操作を許可するか否かを規定する「操作許可リスト」の役割も兼ねている。
【０１４３】
実施の形態１０の情報表示制御装置１０によれば、イベント画像の表示項目が制限された画像表示装置に対応する操作入力装置からの、通信端末３０のリモート操作が制限されるので、プライバシー保護の効果をより高いものとすることができる。
【０１４４】
＜実施の形態１１＞
実施の形態１１では、複数の通信端末３０が同時にリンクすることが可能な情報表示制御装置１０に対して、イベント画像の表示項目を制限する技術、および通信端末３０のリモート操作を制限する技術を適用した例を示す。
【０１４５】
実施の形態１１に係る情報表示システムの構成は、図１と同様でよい。情報表示制御装置１０は、複数の通信端末３０が同時にリンク可能なように構成されている。また、画像表示装置２１と操作入力装置２３は、１つのタッチパネル装置２１２を構成しているものとする。
【０１４６】
本実施の形態の情報表示制御装置１０は、リンク中の複数の通信端末３０から取得した画像（アプリケーション画像およびイベント画像）を、選択的に画像表示装置２１に表示する。例えば、４台の通信端末３０ａ〜３０ｄが情報表示制御装置１０とリンクした場合、図２７のように、通信端末３０ａ〜３０ｄから取得した複数の画像をタッチパネル装置２１２（画像表示装置２１）に重ねて表示させる。タッチパネル装置２１２の画面には、重ねられた複数の画像のうち最前面のものだけが表示されることになる。ユーザは、タッチパネル装置２１２（操作入力装置２３）を操作して、複数の画像の重なり順を変更でき、所望の画像を最前面に配置することで、その画像を表示させることができる。
【０１４７】
図２８は、リンク中の通信端末３０でイベントが発生したときにおける、実施の形態１１に係る情報表示制御装置の表示制御動作を示すフローチャートである。
【０１４８】
情報表示制御装置１０と複数の通信端末３０とのリンクが確立し、任意の通信端末３０のアプリケーション画像がタッチパネル装置２１２に表示された状態から、いずれかの通信端末３０で所定のイベントが発生すると、情報表示制御装置１０は、その通信端末３０のアプリケーション画像がタッチパネル装置２１２に表示されているか（最前面かどうか）を確認する（ステップＳ１１１）。
【０１４９】
イベントが発生した通信端末３０のアプリケーション画像がタッチパネル装置２１２に表示されていない状態であれば（ステップＳ１１１でＮＯ）、何も行わない（現在の表示を継続する）。
【０１５０】
イベントが発生した通信端末３０のアプリケーション画像がタッチパネル装置２１２に表示された状態であれば（ステップＳ１１１でＹＥＳ）、さらに、その通信端末３０が表示許可リスト１８３に登録されているか否かを確認する（ステップＳ１１２）。
【０１５１】
当該通信端末３０が表示許可リスト１８３に登録されていた場合（ステップＳ１１２でＹＥＳ）、情報表示制御装置１０は、詳細イベント画像をタッチパネル装置２１２に表示する（ステップＳ１１３）。例えば、イベントが電話着信であれば、図５に示したような、電話着信を示す文字、発信者の名前、発信者の電話番号、「通話開始」および「保留」の操作ボタンを含む詳細イベント画像を表示する。
【０１５２】
一方、当該通信端末３０が表示許可リスト１８３に登録されていなかった場合は（ステップＳ１１２でＮＯ）、情報表示制御装置１０は、簡易イベント画像をタッチパネル装置２１２に表示する（ステップＳ１１４）。例えば、イベントが電話着信であれば、図６に示したような、電話着信を示す文字のみを表示項目とする簡易イベント画像を表示する。
【０１５３】
特に、本実施の形態では、簡易イベント画像に操作ボタン（ユーザインターフェイス）を含ませないようにする。それにより、イベント画像の表示項目を制限する通信端末３０に対する、タッチパネル装置２１２からのリモート操作を制限できる。
【０１５４】
本実施の形態によれば、複数の通信端末３０から取得した画像を選択的にタッチパネル装置２１２に表示する情報表示システムにおいて、各通信端末３０の所有者のプライバシーを保護することができる。
【０１５５】
本実施の形態では、「表示許可リスト」を用いる例を示したが、実施の形態２のように「表示制限リスト」を用いてもよい。また、イベント画像の表示項目を制限する場合、簡易イベント画像ではなく、実施の形態３のようにイベント発生前のスクリーンショット（記憶アプリケーション画像）を表示させてもよい。また、情報表示制御装置１０に接続されるタッチパネル装置は複数でもよい。さらに、実施の形態５（図１７）と組み合わせて、イベント画像の表示項目を制限するか否かの判断に、クレードル３５を用いてもよい。
【０１５６】
＜実施の形態１２＞
実施の形態１２においても、複数の通信端末３０が同時にリンクすることが可能な情報表示制御装置１０の例を示す。本実施の形態に係る情報表示システムの構成も、図１と同様でよい。また、画像表示装置２１と操作入力装置２３は、１つのタッチパネル装置２１２を構成しているものとする。
【０１５７】
実施の形態１２の情報表示制御装置１０は、リンク中の複数の通信端末３０から取得した画像（アプリケーション画像およびイベント画像）を、選択的にタッチパネル装置２１２（画像表示装置２１）に表示する。但し、情報表示制御装置１０は、タッチパネル装置２１２の画面上に、表示許可リスト１８３に登録された通信端末３０の画像を表示するための第１表示領域と、それ以外の通信端末３０の画像を表示するための第２表示領域とを別々に確保する。
【０１５８】
例えば、４台の通信端末３０ａ〜３０ｄが情報表示制御装置１０とリンクし、そのうちの通信端末３０ａが表示許可リスト１８３に登録されているとする。情報表示制御装置１０は、図２９のように、タッチパネル装置２１２の画面上に、通信端末３０ａから取得した画像を表示するための第１表示領域（図２９のタッチパネル装置２１２の画面右半分）と、それ以外の通信端末３０ｂ〜３０ｄから取得した画像を表示させるための第２表示領域（図２９のタッチパネル装置２１２の画面左半分）とをそれぞれ確保する。なお、表示許可リスト１８３に登録された通信端末３０またはそれ以外の通信端末３０が複数ある場合は、第１表示領域または第２表示領域において、実施の形態１１のように複数の画像を重ねて表示する。その結果、タッチパネル装置２１２には、第１表示領域に通信端末３０ａの画像が表示され、第２表示領域に通信端末３０ｂ〜３０ｄの画像のいずれか１つ（最前面のもの）が表示されることになる。
【０１５９】
リンク中の通信端末３０でイベントが発生したときにおける、情報表示制御装置１０の表示制御動作は、図２８と同様でよい。但し、ステップＳ１１３では、第１領域に詳細イベント画像が表示され、ステップＳ１１４では、第２領域に簡易イベント画像が表示されることになる。本実施の形態においても、実施の形態１１と同様の効果を得ることができる。
【０１６０】
表示許可リスト１８３に登録する通信端末３０の台数は任意でよいが、例えば情報表示制御装置１０を車両に搭載させる場合は、運転者の通信端末３０のみを登録することが考えられる。その場合、運転者の通信端末３０は、タッチパネル装置２１２に常に表示され、イベントが発生したときは詳細イベント画像が表示されるので、運転中に通信端末３０を操作できない運転者にとって高い利便性が得られる。
【０１６１】
また、表示許可リスト１８３に登録されていない同乗者の通信端末３０にイベントが発生したときは、（その通信端末３０の画像が最前面にあれば）簡易イベント画像がタッチパネル装置２１２表示されるので、同乗者のプライバシーが保護される。さらに、簡易イベント画像に操作ボタン（ユーザインターフェイス）を含ませないようにすれば、プライバシー保護の効果はさらに向上する。
【０１６２】
本実施の形態では、「表示許可リスト」を用いる例を示したが、実施の形態２のように「表示制限リスト」を用いてもよい。また、イベント画像の表示項目を制限する場合、簡易イベント画像ではなく、実施の形態３のようにイベント発生前のスクリーンショット（記憶アプリケーション画像）を表示させてもよい。また、情報表示制御装置１０に接続されるタッチパネル装置は複数でもよい。さらに、実施の形態５（図１７）と組み合わせて、イベント画像の表示項目を制限するか否かの判断に、クレードル３５を用いてもよい。
【０１６３】
なお、本発明は、その発明の範囲内において、各実施の形態を自由に組み合わせたり、各実施の形態を適宜、変形、省略することが可能である。
【０１６４】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１６５】
１０  情報表示制御装置、１１  制御部、１２  通信部、１３  画像処理部、１４  画像記憶部、１５  音声処理部、１６  通信端末情報解析部、１７  通信端末制御部、１８  記憶部、１８１  制御プログラム、１８２  アプリケーションプログラム、１８３  表示許可リスト、１８３ａ  第１表示許可リスト、１８３ｂ  第２表示許可リスト、１８４  表示制限リスト、１８５  操作許可リスト、１８５ａ  第１操作許可リスト、１８５ｂ  第２操作許可リスト、１８６  操作制限リスト、１８７  所有者端末識別子、２１  画像表示装置、２２  音声出力装置、２３  操作入力装置、２１ａ  第１画像表示装置、２１ｂ  第２画像表示装置、２３ａ  第１操作入力装置、２３ｂ  第２操作入力装置、２１２  タッチパネル装置、２１２ａ  第１タッチパネル装置、２１２ｂ  第２タッチパネル装置、２４  移動速度検出装置、３０  通信端末、３１  表示部、３２  操作部、３３  制御部、３１２  タッチパネル部、３５  クレードル、４１  通信網、４２  遠端側通信装置、４３  ＧＰＳ。
【図１】
2014112093.tif 000003
【図２】
2014112093.tif 000004
【図３】
2014112093.tif 000005
【図４】
2014112093.tif 000006
【図５】
2014112093.tif 000007
【図６】
2014112093.tif 000008
【図７】
2014112093.tif 000009
【図８】
2014112093.tif 000010
【図９】
2014112093.tif 000011
【図１０】
2014112093.tif 000012
【図１１】
2014112093.tif 000013
【図１２】
2014112093.tif 000014
【図１３】
2014112093.tif 000015
【図１４】
2014112093.tif 000016
【図１５】
2014112093.tif 000017
【図１６】
2014112093.tif 000018
【図１７】
2014112093.tif 000019
【図１８】
2014112093.tif 000020
【図１９】
2014112093.tif 000021
【図２０】
2014112093.tif 000022
【図２１】
2014112093.tif 000023
【図２２】
2014112093.tif 000024
【図２３】
2014112093.tif 000025
【図２４】
2014112093.tif 000026
【図２５】
2014112093.tif 000027
【図２６】
2014112093.tif 000028
【図２７】
2014112093.tif 000029
【図２８】
2014112093.tif 000030
【図２９】
2014112093.tif 000031
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
通信端末との通信を行う通信部と、
前記通信部を介して前記通信端末から取得した画像を表示装置に表示させる画像処理部と、
前記通信端末が特定の通信端末である場合に、ユーザからの操作を制限する制御部と、
を備えることを特徴とする情報表示制御装置。
【請求項２】
当該情報表示制御装置には、前記表示装置を複数接続可能であり、
前記複数の表示装置のそれぞれに対応付けされる複数の操作入力装置を接続可能であり、
前記制御部は、前記通信端末が特定の通信端末である場合に、前記複数の操作入力装置のうちの特定の操作入力装置の操作を制限する
請求項１記載の情報表示制御装置。
【請求項３】
当該情報表示制御装置は、車両に搭載可能であり、運転席用の表示装置と助手席用の表示装置とが接続され、
前記制御部は、前記通信端末が前記車両の運転者の通信端末である場合は、前記助手席用の操作入力装置の操作を制限し、前記通信端末が前記車両の助手席にいる同乗者の通信端末である場合は、前記運転席用の操作入力装置の操作を制限する
請求項２記載の情報表示制御装置。
【請求項４】
当該情報表示制御装置は、車両に搭載可能であり、
前記表示装置は、前記車両のフロントパネル用の表示装置であり、
前記制御部は、前記通信端末が前記車両の後部座席にいる同乗者の通信端末である場合に、ユーザからの操作を制限する
請求項１記載の情報表示制御装置。
【手続補正２】
【補正対象書類名】明細書
【補正対象項目名】００１０
【補正方法】変更
【補正の内容】
【００１０】
本発明に係る情報表示制御装置は、通信端末との通信を行う通信部と、通信端末を介して通信端末から取得した画像を表示装置に表示させる画像処理部と、通信端末が特定の通信端末である場合に、ユーザからの操作を制限する制御部と、を備えるものである。
【手続補正３】
【補正対象書類名】明細書
【補正対象項目名】００１１
【補正方法】変更
【補正の内容】
【００１１】
本発明によれば、特定の通信端末に対するリモート操作を制限することができる。例えば、車載の情報表示装置に後部座席にいる同乗者の通信端末をリンクさせているときは運転者または助手席の同乗者が通信端末をリモート操作することを防止するなど、通信端末の所有者のプライバシー保護が可能になり、利便性が向上する。
【国際調査報告】
2014112093.tif 000032
2014112093.tif 000033
2014112093.tif 000034
2014112093.tif 000035